(57)【要約】【課題】付加価値を付けることができる家庭用薄葉紙収納容器を実現する。【解決手段】この家庭用薄葉紙収納容器１００であれば、係合凹部４０に着脱可能に取り付けられるケース体３０に、ユーザーが所望する物品を収容しておくことができるので、ユーザーのニーズに応じた付加価値を付けて家庭用薄葉紙収納容器１００を好適に使用することができる。例えば、ケース体３０の内部の空間３１に、ユーザーの好みに合わせた芳香剤や香水などを収容しておけば、その香りを拡散させることができるので、所定の設置スペースに家庭用薄葉紙収納容器１００以外に芳香剤を置かなくてもよくなるため、その設置スペースが雑多にならなくてすむようになる。【選択図】図４
2020104896.tif 000002
【特許請求の範囲】
【請求項１】
内部に家庭用薄葉紙が収納され、その家庭用薄葉紙を取り出す開口部を有する容器本体と、前記開口部を開閉自在とする蓋体と、を備えた家庭用薄葉紙収納容器であって、
前記容器本体と前記蓋体の少なくとも一方には、係合凹部が設けられており、
前記係合凹部に着脱可能に取り付けられる被係合部材を備えたことを特徴とする家庭用薄葉紙収納容器。
【請求項２】
前記係合凹部は、断面視して底面側が幅広の略台形形状を呈する溝状に形成されており、
前記被係合部材は、溝状の前記係合凹部に沿って差し入れ可能な形状に形成されていることを特徴とする請求項１に記載の家庭用薄葉紙収納容器。
【請求項３】
前記係合凹部に前記被係合部材が取り付けられた状態で、前記被係合部材の表面は当該家庭用薄葉紙収納容器の表面と略面一になるように構成されていることを特徴とする請求項１又は２に記載の家庭用薄葉紙収納容器。
【請求項４】
前記被係合部材は、その内部に物品を収納するケース体であることを特徴とする請求項１〜３のいずれか一項に記載の家庭用薄葉紙収納容器。
【請求項５】
前記物品は、芳香剤であることを特徴とする請求項４に記載の家庭用薄葉紙収納容器。
【請求項６】
前記蓋体を前記容器本体から離間させる方向に付勢する樹脂製の板バネが設けられていることを特徴とする請求項１〜５のいずれか一項に記載の家庭用薄葉紙収納容器。
【発明の詳細な説明】
【技術分野】
【０００１】
本発明は、家庭用薄葉紙収納容器に関する。
【背景技術】
【０００２】
従来、家屋の床やトイレ、または人体などを拭くためのウェットシートやウェットティッシュなどの家庭用薄葉紙を収納する収納容器が知られている（例えば、特許文献１参照。）。
家庭用薄葉紙の収納容器は詰め替え式であり、家庭用薄葉紙を使い切った際には新たな家庭用薄葉紙を収納して、その収納容器を長期間使い続けるようになっている。
【先行技術文献】
【特許文献】
【０００３】
【特許文献１】特開平１０−１０１１０６号公報
【発明の概要】
【発明が解決しようとする課題】
【０００４】
ところで、近時、家庭用薄葉紙収納容器を単なる収納容器ではなく、付加価値を付けた収納容器として使用するニーズがあるので、本発明者は鋭意検討して、付加価値を付けることができる家庭用薄葉紙収納容器を開発するに至った。
【０００５】
本発明の目的は、付加価値を付けることができる家庭用薄葉紙収納容器を提供することである。
【課題を解決するための手段】
【０００６】
以上の課題を解決するため、請求項１に記載の発明は、
内部に家庭用薄葉紙が収納され、その家庭用薄葉紙を取り出す開口部を有する容器本体と、前記開口部を開閉自在とする蓋体と、を備えた家庭用薄葉紙収納容器であって、
前記容器本体と前記蓋体の少なくとも一方には、係合凹部が設けられており、
前記係合凹部に着脱可能に取り付けられる被係合部材を備えたことを特徴とする。
このような家庭用薄葉紙収納容器であれば、ユーザーが所望する付加価値を有する被係合部材を取り付けるようにすることで、ユーザーのニーズに合わせて好適に使用することができる。
【０００７】
請求項２に記載の発明は、請求項１に記載の家庭用薄葉紙収納容器において、
前記係合凹部は、断面視して底面側が幅広の略台形形状を呈する溝状に形成されており、
前記被係合部材は、溝状の前記係合凹部に沿って差し入れ可能な形状に形成されていることを特徴とする。
【０００８】
請求項３に記載の発明は、請求項１又は２に記載の家庭用薄葉紙収納容器において、
前記係合凹部に前記被係合部材が取り付けられた状態で、前記被係合部材の表面は当該家庭用薄葉紙収納容器の表面と略面一になるように構成されていることを特徴とする。
【０００９】
請求項４に記載の発明は、請求項１〜３のいずれか一項に記載の家庭用薄葉紙収納容器において、
前記被係合部材は、その内部に物品を収納するケース体であることを特徴とする。
【００１０】
請求項５に記載の発明は、請求項４に記載の家庭用薄葉紙収納容器において、
前記物品は、芳香剤であることを特徴とする。
【００１１】
請求項６に記載の発明は、請求項１〜５のいずれか一項に記載の家庭用薄葉紙収納容器において、
前記蓋体を前記容器本体から離間させる方向に付勢する樹脂製の板バネが設けられていることを特徴とする。
【発明の効果】
【００１２】
本発明によれば、ユーザーのニーズに応じた付加価値を付けることができる家庭用薄葉紙収納容器が得られる。
【図面の簡単な説明】
【００１３】
【図１】本実施形態の家庭用薄葉紙収納容器の蓋体が開けられた状態を示す前方斜視図である。
【図２】本実施形態の家庭用薄葉紙収納容器の蓋体が開けられた状態を示す後方斜視図である。
【図３】本実施形態の家庭用薄葉紙収納容器の蓋体が閉められた状態を示す前方斜視図である。
【図４】本実施形態の家庭用薄葉紙収納容器の蓋体が閉められた状態を示す後方斜視図（ａ）と、容器から取り外されたケース体の拡大図（ｂ）である。
【図５】図１のV−V線における断面図であり、容器内部に複数の家庭用薄葉紙が収納されている状態を示している。
【図６】図２のVI−VI線における断面図であり、係合凹部及びケース体の断面形状に関する説明図である。
【発明を実施するための形態】
【００１４】
以下、図面を参照して、本発明に係る家庭用薄葉紙収納容器の実施形態について詳細に説明する。但し、以下に述べる実施形態には、本発明を実施するために技術的に好ましい種々の限定が付されているが、本発明の範囲を以下の実施形態及び図示例に限定するものではない。
なお、以下においては、図１〜図４に示すように、前後方向、左右方向及び上下方向を定めて説明する。すなわち、家庭用薄葉紙収納容器１００の蓋体２０が備えられた側を「上」、その反対側を「下」、容器本体１０と蓋体２０とが接続されている側を「後」、その反対側を「前」、容器の前面を正面視した状態における右手側を「右」、容器の前面を正面視した状態における左手側を「左」とする。
【００１５】
［実施形態の構成］
｛全体構成｝
本実施形態の家庭用薄葉紙収納容器１００は、例えば、図１〜図６に示すように、上部に開口部１０ｃが設けられ、前後方向に積層された複数枚の家庭用薄葉紙Ｐを収納するための容器本体１０と、容器本体１０に回動可能に備えられ、開口部１０ｃを開閉自在とする蓋体２０と、容器本体１０に設けられた係合凹部４０に取り付けられる被係合部材であるケース体３０と、を備えている。
【００１６】
［容器本体および蓋体］
この家庭用薄葉紙収納容器１００は、容器本体１０に対し蓋体２０が閉じられた状態で、その内部にウェットシートやウェットティッシュなどの家庭用薄葉紙Ｐを収容する筐体状の容器である。
なお、容器本体１０と蓋体２０は、ＰＰ（ポリプロピレン）、ＡＢＳ（アクリロニトリル・ブタジエン・スチレン）、ＰＥ（ポリエチレン）、ＰＰとＰＥの混合体などの樹脂が、ブロー成形、射出成形（コールドランナー、ホットランナー）など一般的な製造方法によって成形される。
また、容器本体１０と蓋体２０とで構成されている家庭用薄葉紙収納容器１００は、前後方向に好ましくは９０ｍｍから１５０ｍｍ、さらに好ましくは１００ｍｍから１２０ｍｍ、左右方向に好ましくは１００ｍｍから２００ｍｍ、さらに好ましくは１４０ｍｍから１６０ｍｍ、上下方向に好ましくは６０ｍｍから１３０ｍｍ、さらに好ましくは９０ｍｍから１１０ｍｍの大きさとなるように形成されている。また、各面の厚みは、好ましくは０．５ｍｍから３ｍｍ、さらに好ましくは１ｍｍから２ｍｍである。
この大きさ及び厚みであれば、実使用に問題ない強度を達成し、好適に家庭用薄葉紙Ｐを収容することができる。
【００１７】
容器本体１０の後面部１０ａの開口部１０ｃ近傍には、容器ヒンジ部１１が形成されており、蓋体２０の後面側には、蓋ヒンジ部２１が形成されている。
例えば、容器ヒンジ部１１の軸穴（図示省略）に蓋ヒンジ部２１の軸突起（図示省略）を係入して、容器ヒンジ部１１と蓋ヒンジ部２１とを組み付けることによって、容器ヒンジ部１１と蓋ヒンジ部２１とが連結されてなるヒンジ機構部３３が構成される。
このヒンジ機構部３３を介して、蓋体２０が容器本体１０に対して回動可能に配設されている。
また、収納容器の内側のヒンジ機構部３３の近傍には、例えば、樹脂製の板バネである付勢部材（図示省略）が配設されている。
この付勢部材が蓋体２０を容器本体１０から離間させる方向に付勢することで、蓋体２０がヒンジ機構部３３を軸心に回動するように押し上げられて開口部１０ｃが開くようになっている。樹脂製の板バネである付勢部材は、例えば、容器本体１０の内面に設けられているバネ固定部に取り付けられている。
【００１８】
容器本体１０の前面部１０ｂの開口部１０ｃ近傍には、係合部１３が形成されており、蓋体２０の前面側には、係止部２３が形成されている。
そして、蓋体２０の前面側が容器本体１０の前面部１０ｂに接触された際に、係合部１３が係止部２３と係合することにより、蓋体２０が容器本体１０側に保持されて、開口部１０ｃを閉じるようになっている。
【００１９】
また、容器本体１０の前面部１０ｂであって係合部１３の近傍には、前方に突出する挟持部１２が設けられており、挟持部１２には、係合解除部材１４がその配置を変更可能に軸支されて配設されている。
そして、係合解除部材１４と挟持部１２を挟持すると、係合解除部材１４の一端部１４ａが挟持部１２に近接する方向に揺動する。このように係合解除部材１４を揺動させるようにその配置を変更させると、係合解除部材１４の他端部１４ｂが蓋体２０の押上突起２４を押し上げて、係止部２３と係合部１３の係合が解除されるようになっている。
つまり、係合解除部材１４と挟持部１２を挟持して、係合解除部材１４を揺動させることにより、係止部２３と係合部１３の係合を解除すると、付勢部材（図示省略）の付勢力によって、蓋体２０が押し上げられて開くようになっている。
【００２０】
また、容器本体１０の開口部１０ｃの周縁部４には、容器本体１０に対し蓋体２０が閉じられた際に、蓋体２０の周縁部３が嵌入する溝部５が形成されている。
容器本体１０の周縁部４の溝部５に、蓋体２０の周縁部３が嵌入した際、溝部５の内面に周縁部３の外面が密着するようになっている。
そして、容器本体１０の開口部１０ｃを閉じるように蓋体２０を閉め、蓋体２０の周縁部３が溝部５に嵌入した際、開口部１０ｃの全周に亘って溝部５の内面と周縁部３の外面が密着することで、容器本体１０と蓋体２０の間を密封することができるので、家庭用薄葉紙収納容器１００の密閉性を確保することができる。
【００２１】
［係合凹部］
特に、この家庭用薄葉紙収納容器１００における容器本体１０の後面部１０ａには、家庭用薄葉紙収納容器１００にユーザーが所望する付加価値や機能を付与するための被係合部材が着脱可能に取り付けられる係合凹部４０が設けられている。この係合凹部４０は、容器本体１０の内側に向かって後面部１０ａを凹ませた態様に形成されている。
本実施形態では、被係合部材としてのケース体３０が係合凹部４０に着脱可能に取り付けられる。
係合凹部４０は、例えば、図６に示すように、その延在方向と交差する向きに断面視して底面側が幅広の略台形形状を呈する溝状に形成されている。
また、ケース体３０は、その溝状の係合凹部４０に沿って差し入れ可能な形状に形成されており、断面視略台形形状を呈している。
例えば、この係合凹部４０は、上底が２０ｍｍから２３ｍｍ、下底が２５ｍｍから２８ｍｍ、高さが２０ｍｍから２５ｍｍの台形状の上面相当部分と、上底が２４ｍｍから２９ｍｍ、下底が３０ｍｍから４０ｍｍ、高さが２５ｍｍから５０ｍｍの台形状の下面相当部分と、を有し、上下方向に６０ｍｍから７５ｍｍのサイズを有する略四角錐台形状となるように形成されている。
この係合凹部４０は、例えば、図４（ａ）に示すように、容器本体１０の底部１０ｄから上部に向かって先細る溝状に形成されており、その底部１０ｄ側から係合凹部４０にケース体３０をスライド移動させるように差し入れて、係合凹部４０にケース体３０を係合させて装着させることができる。
このような係合凹部４０とケース体３０であれば、家庭用薄葉紙収納容器１００（容器本体１０）にケース体３０を好適に取り付けたり、取り外したりすることができる。
【００２２】
［被係合部材（ケース体）］
ケース体３０は、係合凹部４０に対応した形状であって、係合凹部４０に係合可能な形状（ここでは断面視略台形形状）に形成されている。つまり、ケース体３０は、係合凹部４０よりも極僅かに大きく、係合凹部４０と擦り合う程度のサイズを有する略四角錐台形状に形成されている。
このケース体３０が係合凹部４０に取り付けられた状態で、ケース体３０の表面は家庭用薄葉紙収納容器１００（容器本体１０）の表面と略面一になるように構成されており、ケース体３０部分がでっぱったり、へこんだりしないようになっている。つまり、係合凹部４０に取り付けられるケース体３０は、家庭用薄葉紙収納容器１００本来のデザイン性を損ねないようになっている。
また、ケース体３０は、ケース本体３０ａとケース蓋体３０ｂとを備えており、ケース体３０はその内部に空間３１を有している。このケース体３０内の空間３１には、ユーザーが所望する付加価値や機能を有する物品を収容することができる。
【００２３】
例えば、ケース体３０の内部の空間３１には、ユーザーが所望する芳香剤や消臭剤を収容することができる。この場合、ケース体３０には、内部の空間３１と通気可能な小孔やスリットが設けられているものとする。
その内部の空間３１に芳香剤や消臭剤を収容したケース体３０が装着されている家庭用薄葉紙収納容器１００であれば、その家庭用薄葉紙収納容器１００を置いておく洗面所やトイレなどのスペースに好みの香りを拡散したり、そのスペースの悪臭を消臭したりすることができるので、家庭用薄葉紙収納容器１００以外に芳香剤や消臭剤を置かなくてもよくなるため、そのスペースが雑多にならなくてすむようになる。
また、ケース体３０の内部の空間３１に収容する芳香剤や香水などを入れ替えるようにして、ユーザーの好みの香りに変更することができるので、家庭用薄葉紙収納容器１００を長期間に亘って使い続けても飽きが来ないようにすることができる。
【００２４】
なお、ユーザーが所望する機能（付加価値）であって、家庭用薄葉紙収納容器１００に付与する機能が香りの拡散である場合、係合凹部４０に装着する被係合部材はケース体３０ではなく、所謂アロマストーンであってもよい。例えば、珪藻土製のアロマストーンであれば、そのアロマストーンにアロマオイルを染み込ませるようにすれば、家庭用薄葉紙収納容器１００から好みの香りを拡散させることができる。
もちろん、そのアロマストーンは、係合凹部４０に対応した形状であって、係合凹部４０に装着可能な形状（ここでは断面視略台形形状）に形成されている。
【００２５】
また、ユーザーが所望する機能（付加価値）であって、家庭用薄葉紙収納容器１００に付与する機能が、家庭用薄葉紙Ｐを使う際の清掃性の向上である場合、例えば、重曹やクレンザーなどの粉末洗浄剤をケース体３０に収容したり、綿棒などの清掃用小物をケース体３０に収容したりしてもよい。
こうすることで、家庭用薄葉紙Ｐを使った清掃時にふと使いたくなる物品を予め準備しておくことができ、ユーザーの用途に応じてカスタマイズした家庭用薄葉紙収納容器１００として使用できる。
【００２６】
［実施形態の効果］
このように、本実施形態の家庭用薄葉紙収納容器１００であれば、係合凹部４０に着脱可能に取り付けられるケース体３０に、ユーザーが所望する物品を収容しておくことができるので、ユーザーのニーズに応じた付加価値を付けて家庭用薄葉紙収納容器１００を好適に使用することができる。
例えば、ケース体３０の内部の空間３１に、ユーザーの好みに合わせた芳香剤や香水などを収容しておき、その香りを拡散させることができるので、家庭用薄葉紙収納容器１００を長期間に亘って使い続けても飽きが来ないようにすることができる。
また、ケース体３０の内部の空間３１に、家庭用薄葉紙Ｐを使う際に使用する頻度が高い粉末洗浄剤や清掃用小物などを収容しておき、家庭用薄葉紙収納容器１００をユーザーの用途に応じてカスタマイズしておけば、ユーザーが所望する清掃作業を好適に行うことができる。
【００２７】
なお、以上の実施の形態においては、家庭用薄葉紙収納容器１００における容器本体１０の後面部１０ａに、ケース体３０が着脱可能に取り付けられる係合凹部４０が設けられているとしたが、本発明はこれに限定されるものではなく、容器本体１０の前面部１０ｂや側面部に係合凹部４０が設けられていてもよい。
また、以上の実施の形態においては、容器本体１０に係合凹部４０が設けられているとしたが、蓋体２０に係合凹部４０が設けられていてもよい。
【００２８】
また、以上の実施の形態においては、係合凹部４０（ケース体３０）が、上面部分よりも下面部分が大きな台形を呈する略四角錐台形状を有している場合を例に説明したが、本発明はこれに限定されるものではなく、上面部分と下面部分が同じサイズの台形を呈する四角柱状の係合凹部４０（ケース体３０）であってもよい。
【００２９】
また、以上の実施の形態においては、係合凹部４０に取り付けられるケース体３０に、芳香剤（香料、消臭剤）を収容することと、清掃用物品（粉末洗浄剤、清掃用小物）を収容することを例に挙げて説明したが、本発明はこれに限定されるものではなく、他の機能性物品（ユーザーが所望する付加価値や機能を有する物品）をケース体３０に収容するようにしてもよい。
【００３０】
また、その他、具体的な細部構造等についても適宜に変更可能であることは勿論である。
【符号の説明】
【００３１】
１０    容器本体
１０ｃ  開口部
２０    蓋体
３０    ケース体（被係合部材）
３０ａ  ケース本体
３０ｂ  ケース蓋体
３１    空間
４０    係合凹部
１００  家庭用薄葉紙収納容器
Ｐ      家庭用薄葉紙
【図１】
2020104896.tif 000003
【図２】
2020104896.tif 000004
【図３】
2020104896.tif 000005
【図４】
2020104896.tif 000006
【図５】
2020104896.tif 000007
【図６】
2020104896.tif 000008